(57)【要約】      （修正有）【課題】顔、皮膚の一部にスポット的に効率よく水素ガスを供給するエアブラシ式水素ガス噴射用のスプレイツールを提供する。【解決手段】霧状の液体を噴出させるノズル２を先端に備え、液体を収容して供給する液体容器４ａと、気体を供給する気体供給配管５と、気体の流量を調整する操作レバー３ａとを備えるエアブラシ本体１の前記ノズル２のさらに先端に、噴出する霧状の液体を囲むフード７と、その先縁部にクッション部材８を取り付けてスプレイツールを構成する。【選択図】図１
0003194119.tif 000002
【実用新案登録請求の範囲】
【請求項１】
エアブラシ本体が霧状の液体を噴出させるノズルを先端に備えるとともに、
そのエアブラシ本体は、液体を収容して供給する液体容器と気体を供給する気体供給配管と前記液体の混合濃度を調整する操作手段とを更に備え、
前記ノズルの更に先端部に、噴出する霧状の液体を囲むフードと、そのフードの先縁部に設けられて噴射対象部位に密着させられるクッション部材とが取り付けられている
ことを特徴とする水素ガス噴射用スプレイツール。
【請求項２】
前記液体容器は、重力による滴下式で前記エアブラシ本体の上面に取り付けられていることを特徴とする請求項１に記載の水素ガス噴射用スプレイツール。
【請求項３】
前記液体容器は、サイフォンによる吸い上げ式で前記エアブラシ本体の下面に接続されていることを特徴とする請求項１に記載の水素ガス噴射用スプレイツール。
【請求項４】
前記操作手段は、前記液体の混合濃度の調整に加えて、気流のオン・オフを制御するものであることを特徴とする請求項１から３のいずれかに記載の水素ガス噴射用スプレイツール。
【請求項５】
前記フード内部から霧状の液体を吸い出す吸い出し手段が設けられていることを特徴とする請求項１から４のいずれかに記載の水素ガス噴射用スプレイツール。
【考案の詳細な説明】
【技術分野】
【０００１】
本考案は、水素ガスなどの気体、あるいは霧状の水素水などを顔や人体の特定部分に吹きつけるためのスプレイツールに関する。
【背景技術】
【０００２】
身体に有害とされる活性酸素を除去するため、体内に水素ガスを取り込み、酸素と反応させることが有効と言われている。特許文献１には、金属マトリックス中にアルミニウムを微細に分散させた組織を有する水素ガス発生部材を水と接触させ、表面から発生する水素ガスを外部に供給してタンク等に貯蔵する水素ガス製造方法が記載されている。
【０００３】
一方、絵画や看板製作の分野で、絵の具を微細な霧状にして噴射させるエアブラシ用のスプレイノズルが使用される。握り部の先端に吹き出しノズルがあり、握り部にあるレバーを引くことにより、ノズルの先端から絵の具が噴出する構造である。
【０００４】
特許文献２には、化粧水を噴射する化粧用のエアブラシが記載されている。また、特許文献３には、塗装用のエアブラシに重力供給式とサイフォン現象を利用した吸い上げ供給式の２とおりがあることが記載されている。
【先行技術文献】
【特許文献】
【０００５】
【特許文献１】特開２００９−５１７１４号公報
【特許文献２】特開２０１３−４２９３０号公報
【特許文献３】特開平７−１７１４４８号公報
【考案の概要】
【考案が解決しようとする課題】
【０００６】
水素ガスを全身にまんべんなく取り込むには、洗面ボウルに顔を浸したり、マスクにより吸引するなどの手段が適当であるが、美容等の目的で顔や皮膚の一部にスポット的に水素ガスを供給するには特許文献２に記載のようなエアブラシ方式が優れている。しかし従来公知のエアブラシは、先端から化粧水等が噴出するノズルを備えるのみで霧状の化粧水は狙った部位に最も多量に付着するものの、かなりの量が周囲に飛散し、かつ皮膚表面の汚れ等を除去し、余剰な化粧水を回収する機能も備えていない。
【０００７】
本考案は、ノズルの先にスプレイの飛散を防止するフードを設けるとともにフード内のスプレイを回収する機能を設けることにより、発生した水素ガスを有効に利用するとともに美容効果を一層促進することのできるスプレイツールを実現することを目的とする。
【課題を解決するための手段】
【０００８】
請求項１に記載の本考案は、エアブラシ本体が霧状の液体を噴出させるノズルを先端に備えるとともに、そのエアブラシ本体は、液体を収容して供給する液体容器と気体を供給する気体供給配管と前記液体の混合濃度を調整する操作手段とを更に備え、前記ノズルの更に先端部に、噴出する霧状の液体を囲むフードと、そのフードの先縁部に設けられて噴射対象部位に密着させられるクッション部材とが取り付けられていることを特徴とする水素ガス噴射用スプレイツールである。
【０００９】
請求項２に記載の本考案は、前記液体容器は、重力による滴下式で前記エアブラシ本体の上面に取り付けられていることを特徴とする請求項１に記載の水素ガス噴射用スプレイツールである。
【００１０】
請求項３に記載の本考案は、前記液体容器は、サイフォンによる吸い上げ式で前記エアブラシ本体の下面に接続されていることを特徴とする請求項１に記載の水素ガス噴射用スプレイツールである。
【００１１】
さらに、請求項４に記載の本考案は、前記操作手段は、前記液体の混合濃度の調整に加えて、気流のオン・オフを制御するものであることを特徴とする請求項１から３のいずれかに記載の水素ガス噴射用スプレイツールである。
【００１２】
そして、請求項５に記載の本考案は、前記フード内部から霧状の液体を吸い出す吸い出し手段が設けられていることを特徴とする請求項１から４のいずれかに記載の水素ガス噴射用スプレイツールである。
【考案の効果】
【００１３】
本考案によれば、エアブラシから噴射される霧状の液体が周囲に飛散することなく噴射対象部位に集中して吹きつけられて皮膚内に浸透し吸収されるので、吹きつけ効果が確実となるばかりでなく、液体により皮膚表面の汚れが洗い流され、余剰の液体が皮膚表面の汚れとともに回収されて液体の消耗を節減することができるなどのすぐれた効果を奏する。
【図面の簡単な説明】
【００１４】
【図１】本考案の第１の実施例のスプレイツールを示す正面図である。
【図２】本考案の第２の実施例のスプレイツールを示す正面図である。
【図３】本考案においてノズルの先端に取り付けるフードおよびクッション部材を示す正面図である。
【図４】本考案においてノズルの先端に取り付けるフード（ｂ）およびクッション部材（ａ）を示す斜視図である。
【図５】本考案の第３の実施例のフードを示す断面図である。
【考案を実施するための形態】
【実施例１】
【００１５】
本考案の第１の実施例を図面により説明する。図１はこの第１の実施例のスプレイツールを示す正面図で、握り部を兼ねるエアブラシ本体１内の先端付近、参照符号（２）で示した位置にノズル２がある。気体供給配管５から空気、あるいは水素ガスが送り込まれ、液体の混合濃度を調整する操作レバー３ａを操作することによって液体容器（タンク）４ａから液体が滴下し、気体により霧状となってノズルから噴出する。ノズルの更に先端にはフード７が取り付けられ、その先縁部には軟質ゴム等のクッション部材（ゴムリング）８が取り付けられている。そのクッション部材８を目的とする顔や皮膚の噴射対象部位にあてがい、液体を噴射すれば前記フード７およびクッション部材８に囲まれた範囲内に液体が噴射される。特に、クッション部材８が噴射対象部位に密着するので、周囲への気体や液体の漏洩がなく、クッション部材８の内側の皮膚だけに水素が効果的に供給される。また、クッション部材８が軟質であるから、噴射対象部位の皮膚に優しく、過度に圧迫することを回避できる。フード７の材質は特に限定しないが、金属あるいは硬質樹脂などが好ましい。ここで気体として水素ガスを使用する場合には、液体としてはミネラルウォーターや水素水、化粧水などが使用できる。
【００１６】
なお、気体を連続して供給すればフード７の内部は満杯となるので余剰の気体、あるいは霧状の液体を排出する必要がある。図１および図２には気液吸い出し配管６が示してある。図３はフード７およびクッション部材８を示す正面図、図４はそれらの斜視図である。図３のクッション部材８は断面で示し、矢印の方向にフード７の先縁部に嵌められる。図３および図４に示すようにフード７には気液吸い出し用の開口６１が設けられており、ホース接続部６２につながっているので、ここにホースを接続し、適宜フィルタ等を介して、さらに真空ポンプ、あるいは気体送り込みポンプの吸入側に接続して気体および液体を回収する。気体送り込みポンプの吸入側に接続した場合は、水素ガスや水素ガスを含む液体を循環させることができる。水素ガスを連続的に供給し、かつ余剰の気体および液体を回収する水素ガス供給ユニットに接続することがもっとも望ましいが、これに限定する必要はない。
【実施例２】
【００１７】
本考案の第２の実施例を図面により説明する。図２はこの第２の実施例のスプレイツールを示す正面図で、図１に示すスプレイツールとの相違は、液体容器４ｂが吸い上げ方式のためエアブラシ本体１の下部に設けられていることと、操作レバー３ｂがダブルアクション式であることである。操作レバー３ｂは矢印で示したように、上下に押すことにより気体の流入をオン・オフし、手前に引くことにより液体の混合濃度を調整できる。その他の各部についてはすべて図１のものと同一である。
【００１８】
以上、２つの実施例について、図１に示したものは液体の供給に重力による滴下を利用するので使用エネルギーが少なく、液体容器も小型で、家庭用などに適している。一方、図２に示したものはやや大流量、液体容器も大きくできるので美容サロンなどの営業用に好適である。
【００１９】
ちなみに本考案の寸法例を挙げれば、先端のクッション部材（ゴムリング）の外径が３０ｍｍ、内径が２０ｍｍ、厚さが５ｍｍである。この厚さは、皮膚にあてがったときにフードが直接接触しないよう、嵌められるフード先端の段差よりもやや大きいことが望ましい。
【実施例３】
【００２０】
本考案のスプレイツールを筋肉痛治療等の医療目的に使用する場合の実施例を説明する。このような用途では、吹きつける水素ガス圧力を１００ｋＰａ〜４００ｋＰａ程度に高め、しかも一定時間連続して、もしくは継続して噴射する場合が生じる。操作性を高めるため、指で操作する操作レバーに代えて、電磁弁を使用することが望ましい。また、圧力増に対して周辺へのガス漏れを少なくするため、フード７を多少変更することが望ましい。その例を図５により説明する。
【００２１】
フード７の先端に直接クッション部材８を取り付ける代わりに、内部に筒状のスライドピース７１を挿入し、その先端にクッション部材８を取り付ける。スライドピース７１は気密性を保持しながらフード７内を軸方向にスライド自在とし、ばね７２で前方、すなわち皮膚に押し付けるようにする。内部の圧力がばね圧より高まるとフード７が後退し、クッション部材８が皮膚から離れ内部圧力が解放される。したがってばね圧を調整することにより皮膚にかかる水素の圧力を調整できる。さらにフード７の先端には接触センサ７３を取り付け、皮膚への接触を検知し、皮膚からノズルが離れた場合、直ちに電磁弁が閉じ、ポンプ、コンプレッサも停止して水素の流出を最小限に留める機能を付加することができる。エアブラシ本体１への取り付けや、戻りの水素ガスを取り出すホース接続部６２はこれまで説明したものと同様である。
【００２２】
システムとしては、ガス流路内を一度ポンプでベントした後、必要であれば水素パージを行った上で流路に水素を導入し、ガス流路を外部と隔絶した状態で水素を循環させ吹きつけを行うことで、高濃度の水素を無駄なく人体に噴射することができる。ノズルが皮膚から離れた場合は、流路内のベントならびにパージを再度行い、噴射を継続する。
【００２３】
以上３つの実施例について、市販のエアブラシの先端にフードを取り付けるものとして説明したが、エアブラシを含む全体を新規に製作しても構わないのはいうまでもなく、その場合は、小型の電磁弁を内蔵させたり、気体供給管５と気液吸い出し配管６とを束ねるなどして、より作業性のよいスプレイツールを実現できる。
【符号の説明】
【００２４】
１…エアブラシ本体、  ２…スプレイノズル、  ３ａ，３ｂ…操作レバー、  ４…液体容器、  ５…気体供給配管、  ６…気液吸い出し配管、  ７…フード、  ８…クッション部材（ゴムリング）、  ７１…スライドピース、  ７２…ばね、  ７３…接触センサ。
【図１】
0003194119.tif 000003
【図２】
0003194119.tif 000004
【図３】
0003194119.tif 000005
【図４】
0003194119.tif 000006
【図５】
0003194119.tif 000007